【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
媒体に搭載されたＩＣタグに無線通信により識別情報を含む情報を書き込み、または、前記情報を読み出す情報読み書き部と、
少なくとも前記情報読み書き部により前記ＩＣタグに書き込んだ前記識別情報を記憶する記憶部と、
前記情報読み書き部と前記記憶部とを制御する制御部と、を備え、
前記制御部は、
前記情報読み書き部により前記ＩＣタグへの前記情報の書き込みが完了した場合は、少なくとも前記情報に含まれている前記識別情報を前記記憶部に記憶し、
前記情報読み書き部による前記ＩＣタグへの前記情報の書き込みに際し、前記情報読み書き部により無線通信可能な前記ＩＣタグから読み出した前記識別情報が、前記記憶部に記憶した前記識別情報の中に一致するものがあるか否かを判別し、一致するものがあると判別した場合、前記情報読み書き部により前記識別情報を読み出した前記ＩＣタグへの前記情報の書き込みを禁止することを特徴とする媒体処理装置。
【請求項２】
前記媒体に記録する記録部をさらに備え、
前記記憶部には第１の記録情報が記憶されており、
前記制御部は、
前記情報読み書き部による前記媒体に搭載された前記ＩＣタグへの前記情報の書き込みに際し、前記情報読み書き部により無線通信可能な前記ＩＣタグから読み出した前記識別情報が、前記記憶部に記憶した前記識別情報の中に一致するものがあるか否かを判別し、
一致するものがないと判別した場合は、前記記憶部から前記第１の記録情報を読み出して前記記録部により前記媒体に記録することを特徴とする請求項１に記載の媒体処理装置。
【請求項３】
前記媒体に記録する記録部をさらに備え、
前記記憶部には第２の記録情報が記憶されており、
前記制御部は、
前記情報読み書き部による前記媒体に搭載された前記ＩＣタグへの前記情報の書き込みに際し、前記情報読み書き部により無線通信可能な前記ＩＣタグから読み出した前記識別情報が、前記記憶部に記憶した前記識別情報の中に一致するものがあるか否かを判別し、一致するものがあると判別した場合、前記記憶部から前記第２の記録情報を読み出して、前記記録部により前記媒体に記録することを特徴とする請求項１に記載の媒体処理装置。
【請求項４】
前記制御部は、
前記情報読み書き部による前記ＩＣタグへの前記情報の書き込みに際し、前記情報読み書き部により無線通信可能な前記ＩＣタグに、前記識別情報が書き込まれているか否か、または、所定の初期値が書き込まれているか否かを判別し、
前記識別情報が書き込まれていないと判別した場合、または、前記所定の初期値が書き込まれていると判別した場合、前記情報読み書き部により前記無線通信可能な前記ＩＣタグへ前記情報の書き込みを行うことを特徴とする請求項１に記載の媒体処理装置。
【請求項５】
前記媒体に記録する記録部をさらに備え、
前記制御部は、
前記無線通信可能な前記ＩＣタグに、前記識別情報が書き込まれていないと判別した場合、または、前記所定の初期値が書き込まれていると判別した場合、前記記録部により少なくとも前記識別情報を前記ＩＣタグを搭載した前記媒体に記録することを特徴とする請求項４に記載の媒体処理装置。
【請求項６】
媒体に搭載されたＩＣタグに無線通信により識別情報を含む情報を書き込み、または、前記情報を読み出す情報読み書き部と、少なくとも前記情報読み書き部により前記ＩＣタグに書き込んだ前記識別情報を記憶する記憶部と、を備える媒体処理装置の制御方法であって、
前記情報読み書き部により前記ＩＣタグへの前記情報の書き込みが完了した場合は、少なくとも前記情報に含まれている前記識別情報を前記記憶部に記憶し、
前記情報読み書き部による前記ＩＣタグへの前記情報の書き込みに際し、前記情報読み書き部により無線通信可能な前記ＩＣタグから読み出した前記識別情報が、前記記憶部に記憶した前記識別情報の中に一致するものがあるか否かを判別し、一致するものがあると判別した場合、前記情報読み書き部により前記識別情報を読み出した前記ＩＣタグへの前記情報の書き込みを禁止することを特徴とする媒体処理装置の制御方法。
【請求項７】
媒体に搭載されたＩＣタグに無線通信により識別情報を含む情報を書き込み、または、前記情報を読み出す情報読み書き部と、少なくとも前記情報読み書き部により前記ＩＣタグに書き込んだ前記識別情報を記憶する記憶部と、を備える媒体処理装置の各部を制御する制御部により実行されるプログラムであって、
前記制御部に、
前記情報読み書き部により前記ＩＣタグへの前記情報の書き込みが完了した場合は、少なくとも前記情報に含まれている前記識別情報を、前記記憶部に記憶させ、
前記情報読み書き部による前記ＩＣタグへの前記情報の書き込みに際し、前記情報読み書き部により無線通信可能な前記ＩＣタグから読み出した前記識別情報が、前記記憶部に記憶した前記識別情報の中に一致するものがあるか否かを判別させ、一致するものがあると判別した場合、前記情報読み書き部により前記識別情報を読み出した前記ＩＣタグへの前記情報の書き込みを禁止させることを特徴とするプログラム。
【手続補正２】
【補正対象書類名】明細書
【補正対象項目名】発明の名称
【補正方法】変更
【補正の内容】
【発明の名称】媒体処理装置、媒体処理装置の制御方法、及び、プログラム
【手続補正３】
【補正対象書類名】明細書
【補正対象項目名】０００５
【補正方法】変更
【補正の内容】
【０００５】
（適応例１）
媒体に搭載されたＩＣタグに無線通信により識別情報を含む情報を書き込み、または、前記情報を読み出す情報読み書き部と、
少なくとも前記情報読み書き部により前記ＩＣタグに書き込んだ前記識別情報を記憶する記憶部と、
前記情報読み書き部と前記記憶部とを制御する制御部と、を備え、
前記制御部は、
前記情報読み書き部により前記ＩＣタグへの前記情報の書き込みが完了した場合は、少なくとも前記情報に含まれている前記識別情報を前記記憶部に記憶し、
前記情報読み書き部による前記ＩＣタグへの前記情報の書き込みに際し、前記情報読み書き部により無線通信可能な前記ＩＣタグから読み出した前記識別情報が、前記記憶部に記憶した前記識別情報の中に一致するものがあるか否かを判別し、一致するものがあると判別した場合、前記情報読み書き部により前記識別情報を読み出した前記ＩＣタグへの前記情報の書き込みを禁止することを特徴とする。
上記目的を達成するために、本発明は、媒体に搭載されたＩＣタグに無線通信により情報を書き込み、また、情報を読み出す情報読み書き部と、前記情報読み書き部により読み出された前記ＩＣタグに一意に付与されたタグ識別情報を記憶する記憶部と、前記情報読み書き部と前記記憶部とを制御する制御部と、を備え、前記制御部は、前記媒体の前記ＩＣタグへの書込情報の書き込みに際し、前記情報読み書き部により、前記ＩＣタグから、前記タグ識別情報を読み出し、前記書込情報の書き込みが完了した場合は、読み出した前記タグ識別情報を、書き込みが完了した前記ＩＣタグを示すものとして前記記憶部に記憶する一方、前記媒体の前記ＩＣタグへの書込情報の書き込みに際し、前記情報読み書き部により、前記ＩＣタグから、前記タグ識別情報を読み出し、前記記憶部に記憶した前記タグ識別情報の中に、読み出した前記タグ識別情報と一致するものがあるか否かを判別し、一致するものがある場合、前記書込情報の書き込みを行わないことを特徴とする。
この構成によれば、書き込みを行ったＩＣタグについて、タグ識別情報を累積的に記憶することによって管理し、ある１の媒体のＩＣタグに書込情報を書き込む際は、当該ＩＣタグのタグ識別情報を読み出し、累積的に記憶した前記タグ識別情報の中に、読み出した前記タグ識別情報と一致するものがあるか否かを判別する。ここで、一致するものがあるということは、既に、ＩＣタグには情報が書き込まれているということ、換言すれば、処理対象となっていない媒体に対して書込情報の書き込みを行おうとしているということである。この場合、媒体のＩＣタグに既に書き込まれている情報が上書きされることを防止する必要がある。そして上記構成によれば、上記判別の結果、一致するものがある場合は、書込情報の書き込みを行わないため、処理対象となっていない媒体のＩＣタグに正常に書き込まれていた情報が上書きされ、当該ＩＣタグに記憶されている情報が誤ったものとなることを防止できる。
【手続補正４】
【補正対象書類名】明細書
【補正対象項目名】０００６
【補正方法】変更
【補正の内容】
【０００６】
（適応例２）
前記媒体に記録する記録部をさらに備え、
前記記憶部には第１の記録情報が記憶されており、
前記制御部は、
前記情報読み書き部による前記媒体に搭載された前記ＩＣタグへの前記情報の書き込みに際し、前記情報読み書き部により無線通信可能な前記ＩＣタグから読み出した前記識別情報が、前記記憶部に記憶した前記識別情報の中に一致するものがあるか否かを判別し、
一致するものがないと判別した場合は、前記記憶部から前記第１の記録情報を読み出して前記記録部により前記媒体に記録することを特徴とする。
また、本発明は、前記媒体に記録する記録部をさらに備え、前記記憶部には所定の記録情報が記憶されており、前記制御部は、前記媒体の前記ＩＣタグへの書込情報の書き込みに際し、前記記憶部に記憶した前記タグ識別情報の中に、読み出した前記タグ識別情報と一致するものがあるか否かを判別し、前記記憶部に記憶した前記タグ識別情報の中に、読み出した前記タグ識別情報と一致するものがない場合であって、既に前記書込情報が書き込まれている場合は、前記記憶部に記憶された前記所定の記録情報を前記媒体に記録することを特徴とする。
ここで、ある１の媒体のＩＣタグについて、累積的に記憶したタグ識別情報の中に、読み出したタグ識別情報と一致するものがない場合であって、既に書込情報が書き込まれている場合は、当該１の媒体のＩＣタグに対して、想定された態様で正常に書込情報の書き込みが行われておらず、ＩＣタグに書き込まれた書込情報の信頼性が担保できない。これを踏まえ、上記構成によれば、上記のような場合には、媒体にその旨示す情報が記録されるため、ユーザーは、当該媒体のＩＣタグに書き込まれた書込情報が誤っている可能性があることを認識でき、対処することが可能となる。
【手続補正５】
【補正対象書類名】明細書
【補正対象項目名】０００７
【補正方法】変更
【補正の内容】
【０００７】
（適応例３）
前記媒体に記録する記録部をさらに備え、
前記記憶部には第２の記録情報が記憶されており、
前記制御部は、
前記情報読み書き部による前記媒体に搭載された前記ＩＣタグへの前記情報の書き込みに際し、前記情報読み書き部により無線通信可能な前記ＩＣタグから読み出した前記識別情報が、前記記憶部に記憶した前記識別情報の中に一致するものがあるか否かを判別し、一致するものがあると判別した場合、前記記憶部から前記第２の記録情報を読み出して、前記記録部により前記媒体に記録することを特徴とする。
（適応例４）
前記制御部は、
前記情報読み書き部による前記ＩＣタグへの前記情報の書き込みに際し、前記情報読み書き部により無線通信可能な前記ＩＣタグに、前記識別情報が書き込まれているか否か、または、所定の初期値が書き込まれているか否かを判別し、
前記識別情報が書き込まれていないと判別した場合、または、前記所定の初期値が書き込まれていると判別した場合、前記情報読み書き部により前記無線通信可能な前記ＩＣタグへ前記情報の書き込みを行うことを特徴とする。
（適応例５）
前記媒体に記録する記録部をさらに備え、
前記制御部は、
前記無線通信可能な前記ＩＣタグに、前記識別情報が書き込まれていないと判別した場合、または、前記所定の初期値が書き込まれていると判別した場合、前記記録部により少なくとも前記識別情報を前記ＩＣタグを搭載した前記媒体に記録することを特徴とする。
また、本発明は、前記媒体に記録する記録部をさらに備え、前記記憶部には所定の記録情報が記憶されており、前記制御部は、前記媒体の前記ＩＣタグへの書込情報の書き込みに際し、前記情報読み書き部により、前記ＩＣタグから、前記タグ識別情報を読み出し、前記記憶部に記憶した前記タグ識別情報の中に、読み出した前記タグ識別情報と一致するものがあるか否かを判別し、一致するものがある場合、前記記録部により前記所定の記録情報を前記媒体に記録することを特徴とする。
この上記構成によれば、上記判別の結果、一致するものがある場合は、媒体にその旨示す情報が記録されるため、ユーザーは、当該媒体のＩＣタグか、或いは、当該ＩＣタグと同一のタグ識別情報を有するＩＣタグが誤っている可能性があることを認識でき、対処することが可能となる。
【手続補正６】
【補正対象書類名】明細書
【補正対象項目名】００１０
【補正方法】変更
【補正の内容】
【００１０】
（適応例６）
媒体に搭載されたＩＣタグに無線通信により識別情報を含む情報を書き込み、または、前記情報を読み出す情報読み書き部と、少なくとも前記情報読み書き部により前記ＩＣタグに書き込んだ前記識別情報を記憶する記憶部と、を備える媒体処理装置の制御方法であって、
前記情報読み書き部により前記ＩＣタグへの前記情報の書き込みが完了した場合は、少なくとも前記情報に含まれている前記識別情報を前記記憶部に記憶し、
前記情報読み書き部による前記ＩＣタグへの前記情報の書き込みに際し、前記情報読み書き部により無線通信可能な前記ＩＣタグから読み出した前記識別情報が、前記記憶部に記憶した前記識別情報の中に一致するものがあるか否かを判別し、一致するものがあると判別した場合、前記情報読み書き部により前記識別情報を読み出した前記ＩＣタグへの前記情報の書き込みを禁止することを特徴とする。
また、上記目的を達成するために、本発明は、媒体に搭載されたＩＣタグに無線通信により情報を書き込み、また、情報を読み出す情報読み書き部と、前記情報読み書き部により読み出された前記ＩＣタグに一意に付与されたタグ識別情報を記憶する記憶部と、を備える媒体処理装置の制御方法であって、前記媒体の前記ＩＣタグへの書込情報の書き込みに際し、前記情報読み書き部により、前記ＩＣタグから、前記タグ識別情報を読み出し、前記書込情報の書き込みが完了した場合は、読み出した前記タグ識別情報を、書き込みが完了した前記ＩＣタグを示すものとして前記記憶部に記憶する一方、前記媒体の前記ＩＣタグへの書込情報の書き込みに際し、前記情報読み書き部により、前記ＩＣタグから、前記タグ識別情報を読み出し、前記記憶部に記憶した前記タグ識別情報の中に、読み出した前記タグ識別情報と一致するものがあるか否かを判別し、一致するものがある場合、前記書込情報の書き込みを行わないことを特徴とする。
この制御方法によれば、処理対象となっていない媒体のＩＣタグに正常に書き込まれていた情報が上書きされ、当該ＩＣタグに記憶されている情報が誤ったものとなることを防止できる。
【手続補正７】
【補正対象書類名】明細書
【補正対象項目名】００１１
【補正方法】変更
【補正の内容】
【００１１】
（適応例７）
媒体に搭載されたＩＣタグに無線通信により識別情報を含む情報を書き込み、または、前記情報を読み出す情報読み書き部と、少なくとも前記情報読み書き部により前記ＩＣタグに書き込んだ前記識別情報を記憶する記憶部と、を備える媒体処理装置の各部を制御する制御部により実行されるプログラムであって、
前記制御部に、
前記情報読み書き部により前記ＩＣタグへの前記情報の書き込みが完了した場合は、少なくとも前記情報に含まれている前記識別情報を、前記記憶部に記憶させ、
前記情報読み書き部による前記ＩＣタグへの前記情報の書き込みに際し、前記情報読み書き部により無線通信可能な前記ＩＣタグから読み出した前記識別情報が、前記記憶部に記憶した前記識別情報の中に一致するものがあるか否かを判別させ、一致するものがあると判別した場合、前記情報読み書き部により前記識別情報を読み出した前記ＩＣタグへの前記情報の書き込みを禁止させることを特徴とする。
また、上記目的を達成するために、本発明は、媒体に搭載されたＩＣタグに無線通信により情報を書き込み、また、情報を読み出す情報読み書き部と、前記情報読み書き部により読み出された前記ＩＣタグに一意に付与されたタグ識別情報を記憶する記憶部と、を備える媒体処理装置の各部を制御する制御部により実行されるプログラムであって、前記制御部に、前記媒体の前記ＩＣタグへの書込情報の書き込みに際し、前記情報読み書き部により、前記ＩＣタグから、前記タグ識別情報を読み出させ、前記書込情報の書き込みが完了した場合は、読み出した前記タグ識別情報を、書き込みが完了した前記ＩＣタグを示すものとして前記記憶部に記憶させる一方、前記媒体の前記ＩＣタグへの書込情報の書き込みに際し、前記情報読み書き部により、前記ＩＣタグから、前記タグ識別情報を読み出させ、前記記憶部に記憶した前記タグ識別情報の中に、読み出させた前記タグ識別情報と一致するものがあるか否かを判別させ、一致するものがある場合、前記書込情報の書き込みを行わないことを特徴とする。
このプログラムによれば、処理対象となっていない媒体のＩＣタグに正常に書き込まれていた情報が上書きされ、当該ＩＣタグに記憶されている情報が誤ったものとなることを防止できる。